(57)【要約】【課題】  有機エレクトロルミネセンス素子の電極のうち封止部材で封止されていない部分を、電源と接続するための端子として用いる。【解決手段】  有機ＥＬ素子１は、基板２の上に、第１電極としての陽極３、発光層を含む有機層４および第２電極としての陰極５が順次積層されている。陽極３には、有機層４が接していない部分３２とがある。封止部材としての封止膜６が、有機層４の端面、陰極５の端面および陰極５の有機層４と接する面とは反対側の面５１の周端部を覆うように成膜されている。陰極５の有機層４と接する面とは反対側の面５１のうち、封止膜６で覆われていない部分は露出しており、第２端子としての陰極端子８となっている。陽極３の有機層４と接していない部分３２には、第１端子としての陽極端子９が設けられている。【選択図】      図１
2005158372.tif 000002
【特許請求の範囲】
【請求項１】
基板上に、第１電極、発光層を含むルミネセンス層および第２電極が順次積層してなるエレクトロルミネセンス素子であって、
少なくとも第１電極または第２電極は透明電極であり、
前記ルミネセンス層は、第１電極の前記基板と接する面とは反対側の面の一部に接して設けられ、
第１端子が、第１電極の前記基板と接する面とは反対側の面の前記ルミネセンス層が接していない部分の少なくとも一部に設けられ、
第２電極は、前記ルミネセンス層と接する面とは反対側の面の少なくとも一部分が露出しており、当該露出している第２電極の一部分が第２端子を構成しており、
第１端子と第２端子とに電源が接続される
ことを特徴とするエレクトロルミネセンス素子。
【請求項２】
前記ルミネセンス層が有機化合物で構成されている、請求項１に記載のエレクトロルミネセンス素子。
【請求項３】
第２電極のうち第２端子を構成する部分の厚さが０．５μｍ以上１ｍｍ以下である、請求項１または請求項２に記載のエレクトロルミネセンス素子。
【請求項４】
封止部材が、少なくとも、前記ルミネセンス層のうち第１電極および第２電極と接していない部分を覆っている、請求項１から請求項３のいずれか一項に記載のエレクトロルミネセンス素子。
【請求項５】
第２電極と第１端子とが同一の材料で形成されている、請求項１から４のいずれか一項に記載のエレクトロルミネセンス素子。
【請求項６】
請求項１から５のいずれか一項に記載のエレクトロルミネセンス素子を複数並べて形成した照明装置。
【発明の詳細な説明】
【技術分野】
【０００１】
本発明は、エレクトロルミネセンス、及びエレクトロルミネセンスを用いた照明装置に関する。
【背景技術】
【０００２】
エレクトロルミネセンス素子（以下、ＥＬ素子という。）は、基板上に電界発光物質等を積層して構成する。ガラス基板側から光を出射するＥＬ素子は、通常、電界発光物質を含有するルミネセンス層（ＥＬ層）から見て基板側に透明な電極を、基板とは反対側には金属の電極を積層する。そして、ＥＬ層が水分や酸素により劣化等するのを防ぐため、透明電極、有機層および金属電極全体を封止部材で封止する。
【０００３】
一方で、放熱性を高めるために金属電極上には封止部材を設けない発明（特許文献１）や、金属電極を厚くすることにより金属電極自体を封止部材として利用する発明（特許文献２）も提案されている。
【特許文献１】特公平６−３２２９７号公報
【特許文献２】特開２００３−２１７８５４号公報
【発明の開示】
【発明が解決しようとする課題】
【０００４】
本発明の発明者は、電極のうち封止部材で封止されていない部分を、電源と接続するための端子として用いることに想到し、本発明を完成させた。また、本発明は、ＥＬ素子を複数並べて構成する照明装置に好適であることにも想到した。
【課題を解決するための手段】
【０００５】
本発明に係るエレクトロルミネセンス素子は、基板上に、第１電極、発光層を含むＥＬ層および第２電極が順次積層されており、少なくとも第１電極または第２電極は透明電極である。ＥＬ層は、第１電極の前記基板と接する面とは反対側の面の一部に接して設けられ、第１端子が第１電極の前記基板と接する面とは反対側の面のＥＬ層が接していない部分の少なくとも一部に設けられ、第２電極は、ＥＬ層と接する面とは反対側の面の少なくとも一部分が露出しており、露出している第２電極の一部分が第２端子を構成している。そして、第１端子と第２端子とに電源が接続される。
【０００６】
ＥＬ層は、有機化合物で構成してもよい。
【０００７】
第２電極のうち第２端子を構成する部分の厚さは、０．５μｍ以上１ｍｍ以下であることが好ましい。
【０００８】
また、封止部材により、少なくとも、ＥＬ層のうち第１電極および第２電極と接していない部分を覆うことが好ましい。
【０００９】
第２電極と第１端子は、同じ材料で形成することもできる。
【００１０】
このようなＥＬ素子を複数並べて、より大型の照明装置を構成することができる。
【発明の効果】
【００１１】
本発明によれば、ＥＬ素子の電極のうち封止部材で封止されていない部分を、電源と接続するための端子として用いることができる。また、有機ＥＬ素子を複数並べて構成する照明装置に好適な有機ＥＬ素子を提供することができる。
【発明を実施するための最良の形態】
【００１２】
（第１の実施形態）
本発明に係るＥＬ素子を、ＥＬ層に有機化合物を用いた有機エレクトロルミネセンス素子（有機ＥＬ素子）に具現化したの実施の形態を、図１（ａ）および図１（ｂ）に基づいて説明する。図１（ａ）は本実施の形態の有機ＥＬ素子の模式断面図であり、図１（ｂ）は模式正面図である。なお、図１（ａ）、図１（ｂ）、図２（ａ）〜図２（ｃ）においては、認識の容易性の観点から、断面を表す斜線を一部省略するとともに、断面図、正面図等に関わらず、同一の構成要素に同一の斜線等を付して表している。
【００１３】
図１（ａ）に示すように、有機ＥＬ素子１は、基板２の上に、第１電極としての陽極３、発光層を含む有機層４および第２電極としての陰極５が順次積層されている。陽極３には、有機層４と接する部分３１と有機層４が接していない部分３２とがある。本実施の形態では、有機層４が接していない部分３２は、陽極３の周縁部に設けられている。有機層４は、一方の面４１の全面で陽極３と接し、他方の面４２の全面で陰極５と接している。
【００１４】
封止部材としての封止膜６が、有機層４の端面、陰極５の端面および陰極５の有機層４と接する面とは反対側の面５１の周端部を覆うように成膜されている。陰極５の有機層４と接する面とは反対側の面５１のうち、封止膜６で覆われていない部分は露出しており、第２端子としての陰極端子８となっている。
【００１５】
陽極３の有機層４と接していない部分３２には、第１端子としての陽極端子９が設けられている。
【００１６】
したがって、本実施の形態に係る有機ＥＬ素子１は、陰極側から見ると、図１（ｂ）に示すように、中央部に陰極端子８が位置し、その周囲に封止膜６を挟んで陽極端子９が配置される。
【００１７】
有機ＥＬ素子１の各構成要素について、更に詳しく説明する。
【００１８】
基板２は、本実施の形態ではガラス基板を用いているが、透明であり、かつ陽極３や有機層４等の成膜時に必要な強度を有するものであれば何でも採用することができる。このような材料としては、ガラス以外に例えば、透明樹脂なども採用することができる。
【００１９】
陽極３は、有機層４に正孔を供給する機能を有し、更に本実施の形態では有機層４から発せられた光は陽極３と基板２を通って外部へ照射されるため、陽極３は透明である必要がある。本実施の形態では、陽極３の材料として、ＩＴＯ（インジウム錫酸化物）を採用していが、ＩＴＯ以外でも、ＩＺＯ（インジウム亜鉛酸化物）等を採用することができる。
【００２０】
有機層４は、少なくとも発光層を有する必要がある。発光層は、陽極３から供給される正孔と陰極５から供給される電子とが再結合することにより光を発する部分であり、単一の有機化合物で構成してもよいし、複数の有機化合物で構成してもよい。
【００２１】
発光層を複数の有機化合物で構成する場合、それぞれの有機化合物からなる層を複数積層して構成してもよく、あるいは複数の有機化合物を混合した層で構成してもよい。
【００２２】
有機層４は、発光層以外に、陽極から供給される正孔を効率よく発光層に輸送する機能を有する正孔注入層や正孔輸送層、および陰極から供給される電子を効率よく発光層に運ぶ機能を有する電子注入層や電子輸送層等の機能層の一部又は全部を有してもよい。また、一つの層で複数の機能を有するように構成してもよい。
【００２３】
具体的には、有機層４は以下のような層構成とすることもできる。
・（陽極）／正孔注入層／正孔輸送層／発光層／電子輸送層／電子注入層／（陰極）
・（陽極）／正孔注入層／正孔輸送層／発光層／電子注入輸送層／（陰極）
・（陽極）／正孔注入輸送層／発光層／電子輸送層／電子注入層／（陰極）
・（陽極）／正孔注入輸送層／発光層／電子注入輸送層／（陰極）
・（陽極）／正孔輸送層／発光層／電子輸送層／電子注入層／（陰極）
・（陽極）／正孔輸送層／発光層／電子輸送層／（陰極）
・（陽極）／正孔輸送層／電子輸送発光層／（陰極）
・（陽極）／発光層／（陰極）
本実施の形態の有機層４は、正孔輸送層・発光層・電子輸送層・電子注入層とから構成されており、発光層は、陽極側から赤発光層・青発光層・緑発光層の順で積層された３層構造を有している。
【００２４】
陰極５は、有機層４に電子を供給するためのものであり、導電性を有する物質であればよいが、抵抗率の低い物質を用いて形成することが好ましい。このようなものとしては、金属、合金、金属混合物などが使用できる。本実施の形態では、陰極５はアルミニウムで形成されている。
【００２５】
陰極５のうち封止膜６で覆われていない部分５１は露出されているため、水分や酸素等有機層４を劣化させるような物質がこの部分５１を通って有機ＥＬ素子１の内部に侵入することを防ぐために、陰極５の膜厚を０．５μｍ以上にすることが好ましく、１．５μｍ以上であることが望ましい。また、陰極５を蒸着法によって形成する場合には、膜厚が５μｍ以下であることが好ましく、３μｍ以下であることが望ましい。陰極５の形成後、封止膜６で覆われていない部分５１に、更に蒸着や接合等の方法を用いて陰極端子８を設ける場合には、陰極端子８の膜厚は１ｍｍ以下であることが好ましく、３００μｍ以下であることが望ましい。
【００２６】
封止膜６は、有機層４が雰囲気中の水分（水蒸気）や酸素によって劣化するのを防ぐためのものであり、ガスバリア性の高い物質で形成される。このような物質としては、有機高分子材料や無機材料などが挙げられる。有機高分子材料としては、エポキシ樹脂、シリコン樹脂、ポリスチレン樹脂等などがあり、無機材料としては、ガラス、金属酸化物、金属窒化物などがある。本実施の形態では、封止膜６として、無機材料である窒化珪素膜を使用している。
【００２７】
陽極端子７は、電源と接続し陽極に正孔を供給するためのものであり、陰極５と同様の材料で形成することができる。本実施の形態では、陰極５の材料と同じアルミニウムを使用している。
【００２８】
次に、このような有機ＥＬ素子の製造方法について、図２（ａ）〜図２（ｃ）に基づいて説明する。
【００２９】
その表面に所望の形状の陽極３が設けられた基板２を洗浄し、洗浄後、真空蒸着装置の中に入れる。真空蒸着装置内で、図２（ａ）に示すように、陽極３の周縁部上にマスク１００を施した上で正孔輸送層を蒸着し、正孔輸送層の上に緑発光層・青発光層・赤発光層の順に発光層を蒸着し、発光層の上に電子輸送層・電子注入層を順に蒸着して、有機層４を成膜する。さらに、有機層４の上にアルミニウムを蒸着させて陰極５とする。陰極５の形成後、マスク１００を除去する。
【００３０】
陰極の上に、図２（ｂ）に示すようにマスク１０１を施して、封止膜６を成膜する。封止膜６の成膜後、マスク１０１を除去する。その後、図２（ｃ）に示すように、マスク１０２を施して、アルミニウムを蒸着させて、陽極端子９を形成する。
【００３１】
以上のように構成された有機ＥＬ素子１の作用を説明する。
【００３２】
直流電源（図示せず）のプラス出力を陽極端子９に、マイナス出力を陰極端子８にそれぞれ接続して、陽極端子９の電位が陰極端子８の電位よりも高くなるように電圧を印加する。直流電源のプラス出力からは、陽極端子９および陽極３を介して有機層４に正孔が供給される。陽極３に達した正孔は、有機層４内のホール輸送層を通り発光層に移動する。
【００３３】
一方、直流電源のマイナス出力からは、陰極端子９を介して陰極５に電子が供給される。陰極５に達した電子は、有機層４の電子注入層、電子輸送層を通って発光層に達する。
【００３４】
陽極３側から発光層に達した正孔と、陰極５側から発光層に達した電子とが再結合して励起子をを生成し、励起子が基底状態に戻る際に光を発する。本実施形態では、発光層が３層構造になっており、各層でそれぞれ緑色の光、青色の光、赤色の光が発せられ、これらの光が混ざり合って全体として白色の光として視認される。
【００３５】
発光層から発せられた光うち一部は、陽極３を通って基板２から外部に出射される。他の光の一部は、陰極５に達する。陰極５はアルミニウムで形成されており、光反射性を有するため、陰極５に達しは光は反射され、有機層４、陽極５を通って基板２から外部に出射される。
【００３６】
この実施形態では以下の効果を有する。
（１）  陰極５のうち封止膜６で覆われていない部分が陰極端子８を構成する。
陰極５の有機層４と接する面とは反対側の面５１の全面を封止膜で覆わず、周縁部のみを封止膜６で覆っているため、封止膜６で覆われず露出している部分を、外部の電源と接続するための陰極端子８として使用することが可能となる。
これにより、有機ＥＬ素子１の光出射面とは反対側の面に陰極端子８を設けることができるとともに、基板２上の有機層４を設ける部分以外の部分に陰極端子８を設ける必要がなくなるため、陰極端子８を基板２上の有機層４を設ける部分以外の部分に設ける場合に比べて、同じ有機層４の面積に対して基板２の面積を小さくすることができる。言い換えると、基板２の面積のうち、発光に寄与する部分の面積を大きくすることができる。
【００３７】
（２）  陰極５がガスバリア性を有する。
陰極５は、０．５μｍ以上の厚さになるように形成されているため、十分なガスバリア性を有する。すなわち、水分や酸素等の有機層４を劣化させるような物質が、陰極５を通って有機ＥＬ素子１の内部に侵入することを防止できる。
そのため、陰極５の有機層４と接する面とは反対側の面５１の全面を封止膜で覆わず、封止膜６で覆われず露出している部分を陰極端子８として使用しても、有機ＥＬ素子１が、外部から侵入した水分や酸素等によって劣化し、寿命が短くなることも防止できる。
【００３８】
（３）  有機層４は露出していない。
有機層４を陽極３に接するように形成した後、有機層４の陽極３と接する面４１とは反対側の面４２の全面に接するように陰極３が形成される。その上で、封止膜６が成膜されるため、封止膜６は、有機層４のうち、面４１と面４２とを除いた部分を全て封止する。従って、有機層４は、その外面を陽極３、陰極５および封止膜６で覆われており、露出する部分はなくなる。
そのため、有機層４の水分や酸素等の侵入による劣化を防止することができる。
【００３９】
（４）  白色光を発する。
有機層４内の発光層が、緑色を発する層、青色を発する層および赤色を発する層から構成されており、有機ＥＬ素子１に電圧が供給されると、これらの層が同時に光を発するため、全体として白色光が発せられる。
また、この有機ＥＬ素子１から発せられる白色光は、スペクトルとして、赤色領域、青色領域および緑色領域にピークを有するため、例えばＲＧＢカラーフィルタを通して画像を表示する場合に、鮮明な色を再現できる。
【００４０】
（５）  光の利用率が高い。
陰極５として、光反射性を有するアルミニウム薄膜を用いている。そのため、発光層から陰極５側に進んだ光も、陰極５で基板２の方向に反射され、その一部が基板２から外部へ出射される。したがって、陰極５を光反射性を有しない材料で形成した場合に比べて、発光層から発せられた光のうち、より多くの光を基板２から出射させることができる。
【００４１】
（第２の実施形態）
第２の実施の形態は、第１の実施の形態とは陽極端子９と陰極端子８との位置が異なる。以下、第１の実施の形態と同じまたは類似する部分には同じ符号を付し、第１の実施の形態と異なる部分を中心に説明する。なお、図３（ａ）、図３（ｂ）においては、認識の容易性の観点から、断面を表す斜線を一部省略し、断面図、正面図等に関わらず、同一の構成要素には同一の斜線等を付して表している。
【００４２】
第２の実施の形態に係る有機ＥＬ素子１は、陽極３の一辺に沿う部分にのみ有機層４と接しない部分３２が設けられている。そして、封止膜６が、陰極５の有機層４と接する面とは反対側の面５１のほぼ半分（図３（ａ）では右半分）を覆うように成膜されている。そして、図３（ａ）および図３（ｂ）に示すように、陽極端子９が、陽極３のうち有機層４と接しない部分３２から封止膜６が陰極５の有機層４と接する面とは反対側の面５１を覆っている部分にわたって形成されている。
【００４３】
陰極端子８は、陰極５のうち封止膜６で覆われていない部分５１に接するように設けている。そして、陽極端子９の表面と陰極端子８の表面とがほぼ同一平面上にある。
【００４４】
このような有機ＥＬ素子は、次のように製造することができる。すなわち、第１の実施の形態で示した製造方法中の陽極端子９の製造工程において、陰極５のうち封止膜６で覆われていない部分５１をマスクで遮蔽せずに、アルミニウムを蒸着させる。このように製造することにより、陽極端子９と同時に陰極端子８も形成することができる。
【００４５】
この第２の実施形態によれば、第１の実施の形態の効果（１）〜（５）に加え、以下のような効果を有する。
【００４６】
（６）  陽極端子９と陰極端子８とを並べて配列できる。
陰極５の一部を封止膜６で覆うため、この封止膜６の陰極５とは反対側の面に接して陽極端子９を設けることができる。このため、陽極端子９を陰極端子８と並べて配列することが可能となる。
【００４７】
陽極端子９と陰極端子８とを並べて配列すると、第１の実施の形態のように、陰極端子８が陽極端子９に囲まれることがなくなり、電源から両端子への配線の取り回しの自由度が増える。
【００４８】
（７）  陽極端子９の表面と陰極端子８の表面とがほぼ同一平面上にある。
陽極端子９を形成するのと同時に、陰極５のうち封止膜６で覆われていない部分５１に陰極端子８を形成する。従って、当該部分５１にマスクを施す場合と異なり、陽極端子９の表面と陰極端子８の表面とをほぼ同一平面上に配置できる。
【００４９】
（第３の実施形態）
本発明に係る照明装置の実施の形態を、図４（ａ）および図４（ｂ）に基づいて説明する。図４（ａ）は、本実施の形態の照明装置の模式裏面図であり、図４（ｂ）はＡ−Ａ部の模式断面図である。
【００５０】
この照明装置２００は、図４（ａ）に示すように、第２の実施の形態に記載された有機ＥＬ素子１を縦横それぞれ２個ずつ並べて形成されている。各有機ＥＬ素子１の陽極端子８は全て、照明装置２００の正電極２０１に接続され、陰極端子９は全て、照明装置２００の負電極２０２に接続されている。そして、全ての有機ＥＬ素子１は、図示しない枠体によって、互いの位置が固定されている。また、正電極２０１と負電極２０２は、基体２０３に固定されて設けられている。さらに、基体２０３の一辺に沿って、正電極２０１と電気的に接続されている正端子２０４と、負電極２０２と電気的に接続されている負端子２０５が設けられている。なお、図４（ａ）においては、見やすさの観点から、本来実線で描くべき基体２０３の外郭を点線で、本来点線で描くべき有機ＥＬ素子１、陽極端子８、陰極端子９、正電極２０１および負電極２０２のそれぞれの外郭を点線で表している。
【００５１】
有機ＥＬ素子１の陽極端子８と照明装置２００の正電極２０１、および有機ＥＬ素子１の陰極端子９と照明装置２００の負電極２０２との電気的な接続のしかたについて詳細に説明する。
【００５２】
４個の有機ＥＬ素子１のうち２個は、図４（ａ）に示すように、それぞれの陽極端子８が一列上に並び、それぞれの陰極端子９が一列上に並ぶように配置されている。そして、このような有機ＥＬ素子１の組が２組あり、互いに接するように配置されている。
【００５３】
照明装置２００の正電極２０１は、有機ＥＬ素子１の陽極端子８に接続するための枝部２０１ａが２つと、これら２つの枝部を接続するとともに、正端子２０４とも接続する幹部２０１ｂとから構成されている。そして、１つの枝部２０１ａは、一列上に並んでいる２つの陽極端子８を互いに接続するように配置されている。
【００５４】
照明装置２００の負電極２０２も同様に、有機ＥＬ素子１の陰極端子９に接続するための枝部２０２ａが２つと、これらの２つの枝部を接続するとともに、負端子２０５と接続する幹部２０２ｂとから構成されている。そして、１つの枝部２０２ａは、一列上に並んでいる２つの陰極端子９を互いに接続するように配置されている。したがって、全ての有機ＥＬ素子１が電気的に並列に接続されている。
【００５５】
このように構成された照明装置２００の作用を説明する。
【００５６】
照明装置２００の正端子２０４と負端子２０５との間に電圧が印加されると、正電極２０１および負電極２０２を介して、有機ＥＬ素子１の陽極端子８と陰極端子９との間に電圧が印加される。このとき、全ての有機ＥＬ素子１の陽極端子８と陰極端子９との間に同時に電圧が印加される。そのため、全ての有機ＥＬ素子１が同時に発光する。
【００５７】
第３の実施形態によれば、以下の効果を奏する。
（８）  有機ＥＬ素子１を複数並べて形成した照明装置を得ることができる。
照明装置２００では、全ての有機ＥＬそし１が電気的に並列に接続されているため、正端子２０４と負端子２０５との間に電圧が印加されると、全ての有機ＥＬ素子１が同時に発光する。これらの有機ＥＬ素子１は互いに接するように配置されているため、同時に発光することにより、照明装置２００を構成する有機ＥＬ素子１全体のうちほとんどの部分から光が出射され、全体として１つの大きな照明装置となる。
【００５８】
このように、有機ＥＬ素子１を複数並べ同時に発光させて、個々の有機ＥＬ素子１よりも大きな照明装置を構成すると、１つの有機ＥＬ装置１で、同じ大きさの大きな照明装置を構成する場合に比べて、製品としての歩留まりを高くすることができる。
【００５９】
（９）  照明装置２００を構成する有機ＥＬ素子１の交換が容易である。
照明装置２００を構成する有機ＥＬ素子１は、光が出射される面とは反対側の面で、照明装置の電極（正電極２０１、負電極２０２）と接続されている。そのため、照明装置２００を構成する有機ＥＬ素子１のうちのいくつかが故障、劣化等した場合に、その故障、劣化等した有機ＥＬ素子１のみを簡単に外すことができ、また、新しい有機ＥＬ素子１を簡単に照明装置２００に組み込むことができる。
【００６０】
（１０）  照明装置２００を構成する有機ＥＬ素子１のうちいくつかが電気的に開放されても、残りの有機ＥＬ素子１は発光を続ける。
照明装置２００を構成する有機ＥＬ素子１は全て電気的に並列に接続されているため、そのうちのいくつかが電気的に開放しても、全ての有機ＥＬ素子１が電気的に直列に接続されている場合にように、全ての有機ＥＬ素子１が発光しなくなることはない。したがって、例えば、１つの有機ＥＬ素子１と照明装置の電極との接触がなくなってしまっても、他の有機ＥＬ素子１は発光し続ける。
【００６１】
実施形態は前記に限定されるものではなく、例えば、次のように具体化してもよい。
○  第１の実施の形態および第２の実施の形態では、有機層４中の発光層を赤発光層、青発光層および緑発光層の３層で構成したが、発光層は３層に限られず、２層でも１層でもよい。
２層構造の発光層で白色の光を得るためには、特定の色とその色の補色の２色、例えば青色と黄色をそれぞれの発光層で発光させればよい。
また、一つの層に特定の色を発光する物質を複数ドープしてもよい。発光物質を一つの層に複数ドープすることにより、一つの層で複数の色の光を発光させることが可能となる。ドープにより、発光層が１層または２層であっても白色を得ることが可能となる。
【００６２】
○  第１の実施の形態および第２の実施の形態に係る有機ＥＬ素子１は白色光を発光する構造としたが、発光光は白色以外であってもよい。有機ＥＬ素子１の発光層は、用途や使用する材料等により適宜決めればよい。
○  第１の実施の形態および第２の実施の形態に係るＥＬ素子は有機ＥＬ素子としたが、ＥＬ層を無機物質で形成する無機エレクトロルミネセンス素子としてもよい。
○  第１の実施の形態および第２の実施の形態に係る有機ＥＬ素子では、基板２を透明基板、陽極３を透明電極とし、発光層からの光を陽極３および基板２を通して外部に出射する構成としたが、発光層からみて基板２とは反対側に光を出射する構造としてもよい。
基板２とは反対側から光を出射するために、陰極３および陰極端子８を透明電極とすればよい。この場合、透明電極の材料としては、第１の実施の形態で説明した陽極３に用いる材料を採用できる。
【００６３】
○  第１の実施の形態では、陰極５は全体にわたって厚さを０．５μｍ以上としたが、陰極５は全体にわたって、厚さが０．５μｍ以上でなくてもよく、陰極端子９の部分で０．５μｍ以上であれば他の部分は薄くてもよい。陰極端子９以外の部分では、陰極５はその外側に封止膜６が被覆されるため、陰極５の当該部分にガスバリア性を持たせる必要はなく、０．５μｍ以下であってもよい。
○  第３の実施の形態の照明装置２００は４個の有機ＥＬ素子１を縦横それぞれ２個ずつ並べて構成したが、この構成に限られるものではなく、必要に応じて構成する有機ＥＬ素子１の数および並べ方を適宜変えればよい。
○  第３の実施の形態の照明装置２００では、構成する有機ＥＬ素子１を全て電気的に並列に接続したが、有機ＥＬ素子１は全てが並列に接続される必要はなく、全てを直列に接続してもよく、互いに並列に接続された組を直列に接続してもよく、互いに直列に接続された組を並列に接続してもよい。
全てを直列に接続した場合、全ての有機ＥＬ素子１を流れる電流が等しくなるため、発光輝度もほとんど同じにすることができる。
【００６４】
○  第３の実施の形態の照明装置２００では、構成する有機ＥＬ素子１として、基板２側から光が出射するものを使用したが、基板２とは反対側から光が出射する有機ＥＬ素子も使用することができる。
この場合、基体２０３、正電極２０１および負電極２０２として透明なものを使用すればよい。基板２０３の材料としては、第１の実施の形態で説明した基板２の材料を使用することができ、正電極２０１、負電極２０２の材料としては、第１の実施の形態で説明した陽極３の材料を使用することができる。
○  上記のような各実施の形態の全体又は一部を、本発明の趣旨に矛盾しない限度において組み合わせてもよい。
【図面の簡単な説明】
【００６５】
【図１】（ａ）  第１の実施の形態に係る有機ＥＬ素子の模式断面図。                （ｂ）  第１の実施の形態に係る有機ＥＬ素子の模式正面図。
【図２】（ａ）  第１の実施形態に係る有機ＥＬ素子の製造工程を表す模式図。                （ｂ）  第１の実施形態に係る有機ＥＬ素子の製造工程を表す模式図。                （ｃ）  第１の実施形態に係る有機ＥＬ素子の製造工程を表す模式図。
【図３】（ａ）  第２の実施の形態に係る有機ＥＬ素子の模式断面図。                （ｂ）  第２の実施の形態に係る有機ＥＬ素子の模式正面図。
【図４】（ａ）  第３の実施の形態に係る照明装置の模式裏面図。                （ｂ）  第３の実施の形態に係る照明装置の模式断面図。
【符号の説明】
【００６６】
１…有機ＥＬ素子（エレクトロルミネセンス素子）、２…基板、３…陽極（第１電極）、４…有機層、５…陰極（第２電極）、６…封止膜（封止部材）、８…陰極端子（第２端子）、９…陽極端子（第１端子）、２００…照明装置。
【図１】
2005158372.tif 000003
【図２】
2005158372.tif 000004
【図３】
2005158372.tif 000005
【図４】
2005158372.tif 000006